【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
少なくとも１面に貫通可能部材が結合し、液体が入っている密封チャンバを含む容器、
両端が開放している通路を規定するサンプラー
を含むサンプルを分注するための装置であって、
第１端部から伸びる前記通路の少なくとも一部分は毛細管作用によりサンプルを引き込める毛細管通路を含み、該サンプラーが、前記サンプルと前記液体を混合させ、該混合されたサンプルと液体を前記毛細管通路を経由して前記装置から分注させるために、前記貫通可能部材が一旦貫通されると前記通路が前記密封チャンバと連通するように該貫通可能部材を貫通するよう構成された貫通手段を含む、サンプルを分注する装置。
【請求項２】
前記貫通可能部材が穿孔可能部材を含み、前記貫通手段が、該穿孔可能部材を穿孔するように構成された穿孔手段を含む請求項１記載の装置。
【請求項３】
前記貫通可能部材が開口部を有する部材を含み、前記装置がさらに該開口部を封止するように設置されたプラグを含む請求項１記載の装置。
【請求項４】
前記サンプラーが、前記容器の内部をスライドするように構成される請求項１〜３のいずれかに記載の装置。
【請求項５】
前記サンプラーが、シャフトを含む請求項４記載の装置。
【請求項６】
前記サンプラーが、前記容器に対して接するように構成されかつ該サンプラーを該容器中に移動させた後に、該容器中での該サンプラーの動きを制限するように設置される突出部を含む請求項５記載の装置。
【請求項７】
前記容器が、前記貫通可能部材が中でスライドできる円筒であって、前記サンプラーが、前記貫通手段が前記貫通可能部材を貫通した後に該貫通可能部材をピストンとして操作するように、該貫通可能部材と嵌合するよう構成される嵌合手段を含む請求項１〜６のいずれかに記載の装置。
【請求項８】
前記嵌合手段が、前記液体と前記通路内の前記サンプルの混合のために前記密封チャンバから前記通路内への前記液体の排出をするために、および前記混合された液体とサンプルを前記装置から前記毛細管通路を通って分注するために、前記貫通可能部材を押すことによって、該貫通可能部材をピストンとして操作するように構成される請求項７記載の装置。
【請求項９】
前記嵌合手段が、前記貫通可能部材を受け止めるように構成される受け止め手段を含み、前記液体と前記密封チャンバ内の前記サンプルの混合のために前記サンプラーから前記密封チャンバ内へ前記サンプルを排出するために、前記貫通可能部材を引くことによって、該貫通可能部材をピストンとして操作するように構成される請求項７または８記載の装置。
【請求項１０】
前記嵌合手段がまた、前記混合された液体とサンプルを前記密封チャンバから前記毛細管通路を通って分注するために、前記貫通可能部材を押すことによって、該貫通可能部材をピストンとして引き続き操作するように構成される請求項９記載の装置。
【請求項１１】
前記通路の第２端部から伸びる該通路の一部分の直径が、前記毛細管通路の直径よりも大きい請求項１〜１０のいずれかに記載の装置。
【請求項１２】
前記貫通可能部材が弾性であって、前記サンプリング装置の前記第２端部が、該貫通可能部材を貫通した後に該貫通可能部材を封止するように構成される請求項１〜１１のいずれかに記載の装置。
【請求項１３】
少なくとも１面に、前記貫通手段により貫通されるように構成される少なくとも１つの第２貫通可能部材が結合し、前記密封チャンバと連続して設置される第２密封チャンバをさらに含む請求項１〜１２のいずれかに記載の装置。
【請求項１４】
前記サンプラーが、前記通路中に乾燥試薬を貯蔵する請求項１〜１３のいずれかに記載の装置。
【請求項１５】
前記液体が少なくとも１つの試薬を含む請求項１〜１４のいずれかに記載の装置。
【請求項１６】
補助管をさらに含む請求項１〜１５のいずれかに記載の装置。
【請求項１７】
少なくとも１面に貫通可能部材が結合する密封チャンバを備えた容器を含む装置を用いてサンプルを採取および分注する方法であって、前記密封チャンバには液体が入っており、前記装置は両端が開放している通路を規定するサンプラーを含んでおり、第１端部から伸びる前記通路の少なくとも一部分は毛細管通路を含んでおり、前記サンプラーは、第２端部に貫通手段を備えており、
毛細管作用により前記毛細管通路内に液体サンプルを抜き取る工程、および
前記通路が前記密封チャンバと連通するように前記貫通可能部材を貫通するために該貫通可能部材を貫通する工程、および
前記サンプルと前記液体を混合し、前記混合されたサンプルと液体を前記毛細管通路を通して前記装置から分注するために、該貫通可能部材をピストンとして操作する工程
を含む方法。
【請求項１８】
前記貫通可能部材が穿孔可能部材を含み、前記貫通手段が、該穿孔可能部材を穿孔する穿孔手段を含む請求項１７記載の方法。
【請求項１９】
前記貫通可能部材が開口部を有する部材を含み、前記装置がさらに該開口部を封止するように設置されたプラグを含み、前記貫通手段が該開口部を通して該プラグを押す請求項１７記載の方法。
【請求項２０】
前記サンプルが体液を含む請求項１７〜１９のいずれかに記載の方法。
【請求項２１】
前記サンプルが衛生サンプルを含む請求項１７〜２０のいずれかに記載の方法。
【請求項２２】
前記貫通可能部材が、押すことによってピストンとして操作される請求項１７〜２１のいずれかに記載の方法。
【請求項２３】
前記貫通可能部材が、前記サンプルと前記密封チャンバ内の前記液体を混合するために前記密封チャンバ内へ前記サンプルの排出をするために引くことによって、および前記混合されたサンプルおよび液体を前記毛細管通路を通して排出するために引き続いて押すことによって、ピストンとして操作される請求項１７〜２１のいずれかに記載の方法。
【請求項２４】
前記混合されたサンプルおよび液体が補助管へと排出される請求項２３記載の方法。
【手続補正２】
【補正対象書類名】明細書
【補正対象項目名】００１８
【補正方法】変更
【補正の内容】
【００１８】
本発明によれば、サンプルを分注するための装置であって、
少なくとも１面に貫通可能部材が結合し、液体が入っている密封チャンバを含む容器、
両端が開放された通路を定めるサンプラー
を含み、第１端部から延びる前記通路の少なくとも一部が毛細管作用によりサンプルを引き込める毛細管通路を含み、該サンプラーが、前記サンプルと前記液体を混合させ、該混合されたサンプルと液体を前記毛細管通路を経由して前記装置から分注をさせるために、前記貫通可能部材が一旦貫通されると、前記通路が前記密封チャンバと連通するように該貫通可能部材を貫通するよう構成された貫通手段を含む装置が提供される。
【手続補正３】
【補正対象書類名】明細書
【補正対象項目名】００３１
【補正方法】変更
【補正の内容】
【００３１】
本発明のさらなる側面によれば、少なくとも１面に貫通可能部材が結合する密封チャンバを備える容器を含む装置を用いてサンプルを採取および分注する方法であって、該密封チャンバは液体が入っており、そして前記装置は両端が開放している通路を規定するサンプラーを含んでおり、第１端部から伸びる前記通路の少なくとも一部分は毛細管通路を含んでおり、前記サンプラーは、第２端部に貫通手段を備えており、
毛細管作用により毛細管通路内に液体サンプルを抜き取る工程、および
前記通路が前記密封チャンバと連通するように前記貫通可能部材を貫通するために前記貫通可能部材を貫通する工程、および前記サンプルと前記液体を混合し、前記混合されたサンプルと液体を前記毛細管通路を通して前記装置から分注するために、該貫通可能部材をピストンとして操作する工程を含む。